(57)【要約】【課題】    光学素子への結露を防止できるプロジェクタを提供する。【解決手段】プロジェクタは、光源ランプ４１６と、光源ランプ４１６から射出された光束を光学的に変換する複数の光学素子と、これら複数の光学素子を介した光束を拡大投射する投射光学装置と、複数の光学素子のうちの少なくともいずれか１つの光学素子と熱伝達可能に接続され、ペルチェ効果を利用したペルチェモジュール４４６Ａと、ペルチェモジュール４４６Ａに所定の電流を流し、ペルチェモジュール４４６Ａを駆動制御するペルチェ駆動制御部６５０Ｂとを備える。そして、ペルチェ駆動制御部６５０Ｂは、プロジェクタの駆動を停止する旨の信号を認識すると、ペルチェモジュール４４６Ａを駆動制御し、光学素子を加熱させる。【選択図】 図１３
2005115220.tif 000002
【特許請求の範囲】
【請求項１】
光源装置と、前記光源装置から射出された光束を光学的に変換する複数の光学素子と、前記複数の光学素子を介した光束を拡大投射する投射光学装置とを備えるプロジェクタであって、
前記複数の光学素子のうちの少なくともいずれか１つの光学素子と熱伝達可能に接続され、ペルチェ効果を利用したペルチェモジュールと、
前記ペルチェモジュールに所定の電流を流し、前記ペルチェモジュールを駆動制御するペルチェ駆動制御手段とを備え、
前記ペルチェ駆動制御手段は、当該プロジェクタの駆動を停止する旨の信号を認識すると、前記ペルチェモジュールを駆動制御し、前記光学素子を加熱させることを特徴とするプロジェクタ。
【請求項２】
請求項１に記載のプロジェクタにおいて、
前記光学素子の温度を検出する光学素子温度検出手段と、
前記光学素子近傍の環境温度を検出する環境温度検出手段と、
前記光学素子温度検出手段にて検出された温度、および前記環境温度検出手段にて検出された環境温度を比較する演算処理手段とを備え、
前記演算処理手段は、前記光学素子の温度が前記環境温度よりも高くなるように前記ペルチェ駆動制御手段に前記ペルチェモジュールを駆動制御させることを特徴とするプロジェクタ。
【請求項３】
請求項１または請求項２に記載のプロジェクタにおいて、
前記光源装置から射出される光束の光量を調節する光量調節手段を備え、
前記光量調節手段は、当該プロジェクタの駆動を停止する旨の信号を認識すると、前記光源装置から前記光学素子に射出される光束の光量を徐々に低減させることを特徴とするプロジェクタ。
【請求項４】
請求項１から請求項３のいずれかに記載のプロジェクタにおいて、
前記ペルチェ駆動制御手段は、前記ペルチェモジュールに流す電流の方向を切り換え自在に構成され、当該プロジェクタの駆動時には、前記ペルチェモジュールを駆動制御して前記光学素子を冷却させるとともに、当該プロジェクタの駆動を停止する旨の信号を認識すると、前記ペルチェモジュールに流す電流の方向を切り換え、前記ペルチェモジュールを駆動制御して前記光学素子を加熱させることを特徴とするプロジェクタ。
【請求項５】
請求項１から請求項４のいずれかに記載のプロジェクタにおいて、
前記複数の光学素子は、光源装置から射出される光束を画像情報に応じて変調する光変調装置と、入射する光束のうち所定の偏光軸を有する光束を射出する偏光板とを含んで構成され、
前記ペルチェモジュールは、前記光変調装置および前記偏光板のうちの少なくともいずれか１つと熱伝達可能に接続されていることを特徴とするプロジェクタ。
【発明の詳細な説明】
【技術分野】
【０００１】
本発明は、プロジェクタに関する。
【背景技術】
【０００２】
従来、光源から射出された光束をダイクロイックミラーによって三原色の赤、緑、青の色光に分離するとともに、三枚の液晶パネルにより色光毎に画像情報に応じて変調し、画像変調後の各色光をクロスダイクロイックプリズムで合成し、投射レンズを介してカラー画像を拡大投射する、いわゆる三板式のプロジェクタが知られている。
このようなプロジェクタでは、各液晶パネルは投射レンズのバックフォーカスの位置に必ずなければならず、このため、クロスダイクロイックプリズムの光束入射端面に対して各液晶パネルの相互の位置を調整しながら固定して一体化した光学装置が採用されている。
このような光学装置を構成する液晶パネルは、光源から射出された光束により加熱されるため、プロジェクタにはファンを用いた冷却機構が組み込まれ、プロジェクタの使用中は、ファンにより液晶パネルを冷却している。
【０００３】
しかしながら、このような冷却機構では、液晶パネルとクロスダイクロイックプリズムとの隙間が小さい場合、該隙間に冷却空気を流入させにくく、液晶パネルを十分に冷却することが困難となる。
このような問題を回避するために、ペルチェ効果を利用したペルチェモジュールを有する冷却機構が組み込まれたプロジェクタが提案されている（例えば、特許文献１参照）。
この冷却機構は、ヒートパイプ、ペルチェモジュール、および軸流ファンを備え、冷却対象となる光学装置に取り付けられている。そして、光学装置にて生じた熱は、ヒートパイプを介してペルチェモジュールに伝達され、ペルチェモジュールが軸流ファンにて冷却されることで、光学装置が冷却される。
【０００４】
【特許文献１】特開２００３−５７７５４号公報
【発明の開示】
【発明が解決しようとする課題】
【０００５】
しかしながら、特許文献１に記載の冷却機構では、液晶パネル等の光学素子の冷却効率の向上を図れるが、プロジェクタの駆動停止後、すなわち、ランプ消灯後でも光学素子の冷却が所定時間の間、維持されてしまう。このため、ランプ消灯後、光学素子の温度よりも該光学素子近傍の環境温度が高くなりやすい。このような状態では、光学素子近傍の飽和水蒸気圧が他の環境における飽和水蒸気圧よりも低くなり、光学素子に結露が生じてしまう。
【０００６】
本発明の目的は、光学素子への結露を防止できるプロジェクタを提供することにある。
【課題を解決するための手段】
【０００７】
本発明のプロジェクタは、光源装置と、前記光源装置から射出された光束を光学的に変換する複数の光学素子と、前記複数の光学素子を介した光束を拡大投射する投射光学装置とを備えるプロジェクタであって、前記複数の光学素子のうちの少なくともいずれか１つの光学素子と熱伝達可能に接続され、ペルチェ効果を利用したペルチェモジュールと、前記ペルチェモジュールに所定の電流を流し、前記ペルチェモジュールを駆動制御するペルチェ駆動制御手段とを備え、前記ペルチェ駆動制御手段は、当該プロジェクタの駆動を停止する旨の信号を認識すると、前記ペルチェモジュールを駆動制御し、前記光変調装置を加熱させることを特徴とする。
ここで、本発明のプロジェクタとしては、形成した画像をスクリーン上に投射し、該スクリーンの正面側から画像を観賞するフロント型のプロジェクタ、形成した画像をスクリーン上に投射し、該スクリーンの裏面側から画像を観賞するリア型のプロジェクタを採用できる。
また、複数の光学素子としては、入射する光束を光学的に変換するものであればよく、特に限定されないが、例えば、入射する光束を画像情報に応じて変調する光変調装置、入射する光束のうち所定の偏光軸を有する光束を射出する偏光板、入射する光束の位相を変更する位相差板、視野角拡大板、および色補正板等を採用できる。
さらに、ペルチェモジュールが光学素子に熱伝達可能に接続するとは、ペルチェモジュールが光学素子に直接接続された構成としてもよく、ペルチェモジュールおよび光学素子の間に、熱伝導性を有する部材が介装された構成としてもよい。
本発明では、プロジェクタは、複数の光学素子のうちの少なくともいずれか１つの光学素子と熱伝達可能に接続されるペルチェモジュールと、このペルチェモジュールを駆動制御するペルチェ駆動制御手段を備える。そして、ペルチェ駆動制御手段は、プロジェクタの駆動を停止する旨の信号を認識すると、ペルチェモジュールを駆動制御して光学素子を加熱させる。このことにより、プロジェクタの駆動停止後、例えば、光学素子の冷却状態が停止された後、光学素子を加熱するように制御するので、光学素子の温度を該光学素子近傍の温度よりも高くすることができる。したがって、光学素子近傍の飽和水蒸気圧を他の環境における飽和水蒸気圧よりも高くでき、光学素子に結露が生じることを回避できる。
【０００８】
本発明のプロジェクタでは、前記光学素子の温度を検出する光学素子温度検出手段と、前記光学素子近傍の環境温度を検出する環境温度検出手段と、前記光学素子温度検出手段にて検出された温度、および前記環境温度検出手段にて検出された環境温度を比較する演算処理手段とを備え、前記演算処理手段は、前記光学素子の温度が前記環境温度よりも高くなるように前記ペルチェ駆動制御手段に前記ペルチェモジュールを駆動制御させることが好ましい。
本発明では、プロジェクタは、光学素子温度検出手段と、環境温度検出手段と、演算処理手段とを備える。そして、演算処理手段は、光学素子の温度が環境温度よりも高くなるようにペルチェ駆動制御手段にペルチェモジュールを駆動制御させる。このことにより、光学素子の温度、および光学素子近傍の環境温度を実際に測定することで、光学素子の温度が環境温度よりも高くなるように適切な制御を実施できる。したがって、光学素子に結露が生じることを確実に回避できる。
【０００９】
本発明のプロジェクタでは、前記光源装置から射出される光束の光量を調節する光量調節手段を備え、前記光量調節手段は、当該プロジェクタの駆動を停止する旨の信号を認識すると、前記光源装置から前記光学素子に射出される光束の光量を徐々に低減させることが好ましい。
ここで、光量調節手段としては、例えば、以下の構成を採用できる。
例えば、光量調節手段は、プロジェクタの駆動を停止する旨の信号に応じて、光源装置を構成する光源ランプの発光光量を制御して、光源装置から光学素子に射出される光束の光量を徐々に低減させる。
また、例えば、光源装置から光変調装置までの光路中に、光源装置から射出される光束を部分的に遮蔽する、いわゆる光学絞りを配置する。そして、光量調節手段は、プロジェクタの駆動を停止する旨の信号に応じて、光学絞りを駆動制御して、光源装置から光学素子に射出される光束の光量を徐々に低減させる。
本発明では、プロジェクタは、光量調節手段を備えている。そして、光量調節手段は、プロジェクタの駆動を停止する旨の信号を認識すると、光源装置から光学素子に射出される光束の光量を徐々に低減させる。このことにより、プロジェクタの駆動停止後、直ぐに光源ランプが消灯される構成と比較して、プロジェクタの駆動停止後の光学素子の急激な温度低下を回避できる。したがって、プロジェクタの駆動停止後、光学素子の急激な温度低下を回避することで、光学素子の温度を環境温度よりも常に高く設定でき、光学素子の結露をより確実に回避できる。
【００１０】
本発明のプロジェクタでは、前記ペルチェ駆動制御手段は、前記ペルチェモジュールに流す電流の方向を切り換え自在に構成され、当該プロジェクタの駆動時には、前記ペルチェモジュールを駆動制御して前記光学素子を冷却させるとともに、当該プロジェクタの駆動を停止する旨の信号を認識すると、前記ペルチェモジュールに流す電流の方向を切り換え、前記ペルチェモジュールを駆動制御して前記光学素子を加熱させることが好ましい。
本発明では、ペルチェ駆動制御手段は、ペルチェモジュールに流す電流の方向を切り換え自在に構成される。そして、ペルチェ駆動制御手段は、プロジェクタの駆動時、ペルチェモジュールを駆動制御して光学素子を冷却させる。また、プロジェクタの駆動停止後、ペルチェモジュールに流す電流の方向を切り換え、ペルチェモジュールを駆動制御して光学素子を加熱させる。このことにより、簡単な制御構造にてペルチェモジュールに光学素子の冷却および加熱の双方を実施させることができる。したがって、光学素子を冷却する冷却機構を別途設ける必要がなく、プロジェクタの製造コストの低減、およびプロジェクタの構成の簡素化を図れる。
【発明を実施するための最良の形態】
【００１１】
[第１実施形態]
以下、本発明の第１実施形態を図面に基づいて説明する。
[1-1．プロジェクションテレビの構成]
図１は、本発明に係るプロジェクタとしてのプロジェクションテレビ１０の正面側斜視図である。
図２は、プロジェクションテレビ１０の背面側斜視図である。
図３は、プロジェクションテレビ１０の内部構造を示す図である。
プロジェクションテレビ１０は、光源から射出された光束を画像情報に応じて変調して光学像を形成し、この光学像をスクリーンに拡大投射するものである。このプロジェクションテレビ１０は、図１ないし図３に示すように、筐体としての上部キャビネット１１および下部キャビネット３１（図１および図２）と、上部キャビネット１１の前面に露出して設けられるスクリーン１４（図１）と、上部キャビネット１１内に配置されるミラー１５（図３）と、下部キャビネット３１内に配置される光学ユニット４０（図３）と、この光学ユニット４０の上方に配置される制御基板６０（図３）とで大略構成されている。なお、プロジェクションテレビ１０は、上述した構成の他、具体的な説明を省略するが、光学ユニット４０および制御基板６０等に外部からの電力を供給する電源装置等も備えている。
【００１２】
[1-1-1.キャビネットの構成]
図１および図２に示すように、上部キャビネット１１および下部キャビネット３１にて、プロジェクションテレビ１０の外観が形成され、これらの上部キャビネット１１および下部キャビネット３１は分離できるように形成されている。
上部キャビネット１１は、図１および図２に示すように、ミラー１５（図３）を収納する縦断面三角形状の筐体であり、ミラー１５（図３）が取り付けられるミラーケース１２と、このミラーケース１２の正面側の開口部周辺に形成され、スクリーン１４を取り付けるフレーム枠１３とを備えている。
【００１３】
図４は、ミラーケース１２を正面側から見た斜視図である。
ミラーケース１２は、図４に示すように、背面壁２１、一対の側壁２２，２３、および底面壁２４から構成されている。
背面壁２１は、長辺が上方に位置する平面視台形状の形状を有し、後方の下側に向かって傾斜するように形成され、内側端面にてミラー１５（図３）を所定角度で支持する。
一対の側壁２２，２３は、平面視三角形状の形状を有し、背面壁２１の両端縁から前方に向けて突出し、前方に向かうにしたがって外側に傾斜するように形成されている。
底面壁２４は、一対の側壁２２，２３に跨って形成され、長辺が前方側に位置する平面視略台形状の形状を有し、後方の上側に向かって傾斜するように形成されている。この底面壁２４には、前方側略中央部分に切り欠き２４Ａと、前方から見て左側に開口部２４Ｂとが形成されている。
フレーム枠１３は、矩形枠状に形成され、内側端面にてスクリーン１４を所定位置にて保持するものであり、ミラーケース１２の前方側端縁にねじ等により固定される。
【００１４】
図５は、下部キャビネット３１の正面側斜視図である。
下部キャビネット３１は、光学ユニット４０、制御基板６０、および図示しない電源装置等を収納する筐体であり、フロントパネル３２（図１）と、側部パネル３３，３４（図２）と、リアパネル３５（図２）と、底面部３６（図５）と、底面部３６上に取り付けられ、光学ユニット４０、制御基板６０、および前記電源装置等を下部キャビネット３１の所定位置に設置する設置部３７（図５）とで構成されている。
フロントパネル３２は、図１に示すように、平面視矩形形状を有し、左右側には略同寸法の矩形状の開口部３８が形成されている。そして、この開口部３８の内部には、それぞれ図示しないスピーカが配設されている。
また、このフロントパネル３２には、図示は省略するが、プロジェクションテレビ１０の起動・調整操作を行うための操作パネルが設けられている。この操作パネルは、起動スイッチ、画像・音声等の調整スイッチを含む複数のスイッチを備え、プロジェクションテレビ１０の起動時には、操作パネル中の調整スイッチ等を操作することにより、画質・音量等の調整を行うことができる。
さらに、このフロントパネル３２には、図示は省略するが、リモートコントローラから送信される赤外線信号を受光する信号受光部が設けられている。リモートコントローラは、前記操作パネルに設けられる起動スイッチ、調整スイッチ等と同様のものが設けられていて、リモートコントローラを操作すると、この操作に応じた赤外線信号が出力され、前記信号受光部にて受信される。
そして、前記操作パネルの操作に伴う操作信号、および前記信号受光部にて受信した操作信号は、制御基板６０（図３）に出力される。
【００１５】
側部パネル３３，３４は、図２に示すように、平面視台形形状を有し、ミラーケース１２の一対の側壁２２，２３と同様に、前方に向かうにしたがって外側に傾斜するように形成されている。この側部パネル３３，３４には、それぞれスリット状の開口部が形成されている。そして、側部パネル３３に形成された開口部は、内部に冷却空気を導入する吸気口３３１（図２）であり、側部パネル３４に形成された開口部は、内部に導入され内部を冷却した後の空気を排出する排気口３４１（図２）である。
リアパネル３５は、図２に示すように、平面視矩形形状を有し、コンピュータ接続用の接続部や、ビデオ入力端子、オーディオ機器接続端子等の各種の機器接続用端子が設けられている。
底面部３６は、図５に示すように、平面視略台形状の形状を有し、プロジェクションテレビ１０全体を支持する。
【００１６】
設置部３７は、下部キャビネット３１に設置される各装置を囲うように形成され、各装置を適宜、区画している。
この設置部３７において、その上面３７１は、上部キャビネット１１の底面壁２４に対応して後方の上側に向かって傾斜するように形成されている。また、この上面３７１は、正面側から見て略中央部分から左側部分、および正面側から見て右側部分には、それぞれ段付状の段差部３７１Ａ，３７１Ｂが形成されている。
段差部３７１Ａにおいて、右側部分には、切り欠き３７１Ａ１が形成され、この切り欠き３７１Ａ１は、設置部３７に設置される光学ユニット４０（図３）の後述する光学装置の上部位置に対応するとともに、設置部３７に設置される光学ユニット４０（図３）の後述する投射レンズが臨むように形成されている。
段差部３７１Ｂにおいて、底面部分には、切り欠き３７１Ｂ１が形成され、この切り欠き３７１Ｂ１は、設置部３７に設置される光学ユニット４０（図３）の後述する光源装置上に取り付けられる排気ファン５４の吐出口に対向する。
また、段差部３７１Ｂにおいて、正面から見て右側部分には、側部パネル３４に形成された排気口３４１（図２）と接続するダクト５５の吸気側が接続する。
また、この設置部３７において、正面から見て左側の端面には、図５に示すように、設置部３７内部に空気を流通させるための孔３７２が形成されている。この孔３７２は、光学ユニット４０（図３）の後述する光源装置と連通し、前記光源装置に空気を流通可能とする。
【００１７】
図６は、図４に示す上部キャビネット１１と図５に示す下部キャビネット３１とを組み合わせた図である。
上部キャビネット１１と下部キャビネット３１とを組み合わせると、図６に示すように、ミラーケース１２の底面壁２４、および下部キャビネット３１の設置部３７における上面３７１に形成された段差部３７１Ａ（図５）によりダクト２５が形成され、底面壁２４および段差部３７１Ｂ（図５）によりダクト２６が形成される。そして、ダクト２５の吸気側は、上面３７１における切り欠き３７１Ａ１を介して、下部キャビネット３１に設置される光学ユニット４０（図３）の後述する光学装置の上部側に対向する。また、ダクト２６の吸気側は、上面３７１における切り欠き３７１Ｂ１（図５）を介して、排気ファン５４の吐出口に対向する。
また、上部キャビネット１１と下部キャビネット３１とを組み合わせると、上部キャビネット１１の切り欠き２４Ａと下部キャビネット３１の切り欠き３７１Ａ１とが対向し、下部キャビネット３１に設置される光学ユニット４０（図３）の後述する投射レンズからミラー１５（図３）に向けて投射される映像の光路が形成される。
【００１８】
[1-1-2．スクリーンの構成]
スクリーン１４は、光学ユニット４０の後述する投射レンズで拡大され、ミラー１５で反射された光学像を裏面から投影する透過型スクリーンであり、図１に示すように、上部キャビネット１１のフレーム枠１３によりミラーケース１２の正面側に取り付けられる。
このスクリーン１４は、例えば、フレネルシート、レンチキュラーシート、保護板等にて構成でき、前記投射レンズから射出されミラー１５で反射された光束は、フレネルシートで平行化され、レンチキュラーシートを構成する光学ビーズによって拡散され、表示画像が得られる。
【００１９】
[1-1-3．ミラーの構成]
ミラー１５は、図３に示すように、平面視台形状に形成された一般的なミラーであり、上部キャビネット１１の背面壁２１の内側に、台形状の長辺が上側となるように傾斜して取り付けられる。このミラー１５の傾斜角は、前面側のスクリーン１４と光学ユニット４０の後述する投射レンズによる映像の反射との設定された位置関係に基づいて設定されている。
【００２０】
[1-1-4．光学ユニットの構成]
図７は、光学ユニット４０を模式的に示す図である。
光学ユニット４０は、光源装置を構成する光源ランプから射出された光束を光学的に処理して画像情報に対応した光学像を形成し、この光学像を拡大投射するユニットである。この光学ユニット４０は、図７に示すように、インテグレータ照明光学系４１と、色分離光学装置４２と、リレー光学系４３と、光学装置４４と、プリズム４８と、投射光学装置としての投射レンズ４６と、ライトガイド４７とを備える。
【００２１】
インテグレータ照明光学系４１は、光学装置４４を構成する後述する３つの光変調装置の画像形成領域をほぼ均一に照明するための光学系である。このインテグレータ照明光学系４１は、光源装置４１１と、第１レンズアレイ４１２と、第２レンズアレイ４１３と、偏光変換素子４１４と、重畳レンズ４１５とを備える。
光源装置４１１は、放射光源としての光源ランプ４１６と、リフレクタ４１７とを備え、光源ランプ４１６から射出された放射状の光線をリフレクタ４１７で反射して平行光線とし、この平行光線を外部へと射出する。
光源ランプ４１６としては、高圧水銀ランプを採用している。なお、高圧水銀ランプ以外に、メタルハライドランプやハロゲンランプ等も採用できる。
リフレクタ４１７としては、放物面鏡を採用している。なお、放物面鏡の代わりに、平行化凹レンズおよび楕円面鏡を組み合わせたものを採用してもよい。
【００２２】
第１レンズアレイ４１２は、光軸方向から見てほぼ矩形状の輪郭を有する小レンズがマトリクス状に配列された構成を有し、各小レンズは、光源ランプ４１６から射出された光束を複数の部分光束に分割している。
第２レンズアレイ４１３は、第１レンズアレイ４１２と略同様な構成を有しており、小レンズがマトリクス状に配列された構成を有している。この第２レンズアレイ４１３は、重畳レンズ４１５とともに、第１レンズアレイ４１２の各小レンズの像を後述する光変調装置上に結像させる機能を有する。
【００２３】
偏光変換素子４１４は、第２レンズアレイ４１３と重畳レンズ４１５との間に配置される。このような偏光変換素子４１４は、第２レンズアレイ４１３からの光を略１種類の偏光光に変換するものであり、これにより、光学装置４４での光の利用効率が高められている。
具体的に、偏光変換素子４１４によって略１種類の偏光光に変換された各部分光は、重畳レンズ４１５によって最終的に光学装置４４の後述する光変調装置上にほぼ重畳される。偏光光を変調するタイプの光変調装置を用いたプロジェクションテレビ１０では、１種類の偏光光しか利用できないため、他種類のランダムな偏光光を発する光源ランプ４１６からの光のほぼ半分が利用されない。このため、偏光変換素子４１４を用いることにより、光源ランプ４１６から射出された光束を略１種類の偏光光に変換し、光学装置４４での光の利用効率を高めている。
なお、このような偏光変換素子４１４は、例えば特開平８−３０４７３９号公報に紹介されている。
【００２４】
色分離光学装置４２は、２枚のダイクロイックミラー４２１，４２２と、反射ミラー４２３とを備え、ダイクロイックミラー４２１，４２２によりインテグレータ照明光学系４１から射出された複数の部分光束を赤（Ｒ）、緑（Ｇ）、青（Ｂ）の３色の色光に分離する機能を有している。
【００２５】
リレー光学系４３は、入射側レンズ４３１と、リレーレンズ４３３と、反射ミラー４３２，４３４とを備え、色分離光学装置４２で分離された色光である赤色光を光学装置４４の後述する赤色光用の光変調装置まで導く機能を有している。
【００２６】
この際、色分離光学装置４２のダイクロイックミラー４２１では、インテグレータ照明光学系４１から射出された光束の赤色光成分と緑色光成分とが透過するとともに、青色光成分が反射する。ダイクロイックミラー４２１によって反射した青色光は、反射ミラー４２３で反射し、フィールドレンズ４１８を通って、光学装置４４の後述する青色光用の光変調装置に到達する。このフィールドレンズ４１８は、第２レンズアレイ４１３から射出された各部分光束をその中心軸（主光線）に対して平行な光束に変換する。他の緑色光用、赤色光用の光変調装置の光束入射側に設けられたフィールドレンズ４１８も同様である。
【００２７】
また、ダイクロイックミラー４２１を透過した赤色光と緑色光のうちで、緑色光は、ダイクロイックミラー４２２によって反射し、フィールドレンズ４１８を通って、緑色光用の光変調装置に到達する。一方、赤色光は、ダイクロイックミラー４２２を透過してリレー光学系４３を通り、さらにフィールドレンズ４１８を通って、赤色光用の光変調装置に到達する。
なお、赤色光にリレー光学系４３が用いられているのは、赤色光の光路の長さが他の色光の光路長さよりも長いため、光の発散等による光の利用効率の低下を防止するためである。すなわち、入射側レンズ４３１に入射した部分光束をそのまま、フィールドレンズ４１８に伝えるためである。なお、リレー光学系４３には、３つの色光のうちの赤色光を通す構成としたが、これに限らず、例えば、青色光を通す構成としてもよい。
【００２８】
光学装置４４は、入射された光束を画像情報に応じて変調してカラー画像を形成するものであり、色分離光学装置４２で分離された各色光が入射される入射側光学変換素子としての３つの入射側偏光板４４２と、各入射側偏光板４４２の後段に配置される３つの光変調装置４４０と、各光変調装置４４０の後段に配置される射出側光学変換素子としての３つの射出側偏光板４４３と、色合成光学装置としてのクロスダイクロイックプリズム４４４とを備える。そして、これら入射側偏光板４４２、光変調装置４４０、射出側偏光板４４３、およびクロスダイクロイックプリズム４４４は、一体的にユニット化されている。
なお、光学装置４４の詳細については、後述する。
【００２９】
プリズム４８は、光学装置４４の光束射出側に配置され、この光学装置４４で形成されたカラー画像を投射レンズ４６の方向、すなわち前方向に射出されたカラー画像を上方向へと折り曲げて反射するものである。
投射レンズ４６は、プリズム４８で反射されたカラー画像を拡大して、ミラー１５に投射するものである。この投射レンズ４６は、鏡筒内に複数のレンズが収納された組みレンズとして構成されている。
【００３０】
ライトガイド４７は、合成樹脂から構成され、上述した各光学系４１〜４４、４８を収納保持するものであり、具体的な図示は省略するが、各光学部品４１２〜４１５，４１８，４２１〜４２３，４３１〜４３４を上方からスライド式に嵌め込む溝部が形成された下ライトガイドと、前記下ライドガイドの上部の開口側（光学装置４４の上方側を除く部分）を閉塞する蓋状の上ライトガイドとを備えて構成される。
【００３１】
[1-1-5．光学装置の構造]
図８および図９は、光学装置４４の構造を示す図である。具体的に、図８は、光学装置４４を上方から見た平面図であり、図９は、図８におけるIX-IX線断面図である。
光学装置４４は、図８および図９に示すように、光学素子としての３つの入射側偏光板４４２、３つの光変調装置４４０、光学素子としての３つの射出側偏光板４４３、およびクロスダイクロイックプリズム４４４を備え、これら各部材が一体的にユニット化されるとともに、部材間に適宜介装される熱伝導性部材４４５と、光学装置４４全体を冷却する冷却装置４４６とを備える。
光変調装置４４０は、色分離光学装置４２で分離された各色光を画像情報に応じて変調する光学素子としての３つの液晶パネル４４１Ｒ，４４１Ｇ，４４１Ｂ（赤色光用の液晶パネルを４４１Ｒ、緑色光用の液晶パネルを４４１Ｇ、青色光用の液晶パネルを４４１Ｂとする）と、これら液晶パネル４４１Ｒ，４４１Ｇ，４４１Ｂを保持する保持枠４４７とを備える。
【００３２】
液晶パネル４４１Ｒ，４４１Ｇ，４４１Ｂは、例えば、ポリシリコンＴＦＴ（Thin Film Transistor）をスイッチング素子として用いたものであり、対向配置される一対の透明基板内に液晶が密封封入されている。そして、この液晶パネル４４１Ｒ，４４１Ｇ，４４１Ｂは、入射側偏光板４４２を介して入射する光束を画像情報に応じて変調して射出する。
保持枠４４７は、図８および図９に示すように、略中央部分に光束透過用の開口部４４７Ａが形成された矩形枠状の板体であり、表面にブラックアルマイト処理が施されたアルミニウム合金等の熱伝導性部材から構成されている。なお、保持枠４４７は、アルミニウム合金に限らず、熱伝導性を有する部材であればよく、例えば、インバーおよび４２Ｎｉ−Ｆｅ等の鉄−ニッケル合金、マグネシウム合金、炭素鋼、黄銅、ステンレス等の金属、または、カーボンファイバー、カーボンナノチューブ等のカーボンフィラーを混入させた樹脂（ポリカーボネート、ポリフェニレンサルファイド、液晶樹脂等）等によって構成してもよい。
この保持枠４４７による液晶パネル４４１Ｒ，４４１Ｇ，４４１Ｂの保持構造としては、具体的な図示は省略するが、例えば、保持枠４４７の上端面から開口部４４７Ａに向けて貫通する孔を形成し、開口部４４７Ａの内側面に前記孔の貫通方向に沿って溝部を形成する。そして、液晶パネル４４１Ｒ，４４１Ｇ，４４１Ｂを保持枠４４７の上方から前記孔に挿入し、前記溝部に沿ってスライドさせることで、液晶パネル４４１Ｒ，４４１Ｇ，４４１Ｂが保持枠４４７の所定位置に配置される。
また、この保持枠４４７において、光束入射側の開口部４４７Ａ周縁には、図８および図９に示すように、厚み方向に窪む凹部４４７Ｂが形成され、この凹部４４７Ｂが入射側偏光板４４２を支持する支持面として機能する。
そして、光変調装置４４０は、保持枠４４７が熱伝導性部材４４５を介して熱伝達可能にクロスダイクロイックプリズム４４４の光束入射端面に貼り付けられて固定される。
【００３３】
入射側偏光板４４２は、色分離光学装置４２で分離された各色光のうち、一定方向の偏光光のみ透過させ、その他の光束を吸収するものであり、水晶、サファイア等の基板に偏光膜が貼付されたものである。この入射側偏光板４４２は、図８および図９に示すように、熱伝導性部材４４５を介して熱伝達可能に光変調装置４４０の保持枠４４７の凹部４４７Ｂに貼り付け固定される。
射出側偏光板４４３は、入射側偏光板４４２と同様の構成を有し、液晶パネル４４１Ｒ，４４１Ｇ，４４１Ｂから射出された光束のうち、一定方向の偏光光のみ透過させ、その他の光束を吸収する。この射出側偏光板４４３は、図８および図９に示すように、クロスダイクロイックプリズム４４４の光束入射端面に直接貼り付けられる。
そして、これら入射側偏光板４４２、液晶パネル４４１Ｒ，４４１Ｇ，４４１Ｂ、および射出側偏光板４４３によって、画像情報に応じて変調された光学像を形成する。
【００３４】
クロスダイクロイックプリズム４４４は、各射出側偏光板４４３を介した光学像を合成してカラー画像を形成し、所定方向に射出するものであり、図８に示すように、赤色光を反射する誘電体多層膜４４４Ｒと青色光を反射する誘電体多層膜４４４Ｂとが、光束入射端面および光束射出端面をそれぞれ構成する透光性部材としての４つの直角プリズム４４４Ｐの界面に沿って略Ｘ字状に設けられ、これらの誘電体多層膜４４４Ｒ，４４４Ｂにより３つの色光が合成される。
このクロスダイクロイックプリズム４４４を構成する４つの直角プリズム４４４Ｐとしては、例えば、高い熱伝導率を有するサファイアを採用できる。なお、直角プリズム４４４Ｐとしては、サファイアに限らず、熱伝導率が５Ｗ／ｍ・Ｋ以上であればよく、以下の表１に示す種々の材料を用いることができる。
【００３５】
【表１】
2005115220.tif 000003
【００３６】
熱伝導性部材４４５は、２つの部材を相互に固定可能に適宜、端面に接着剤が塗布された厚みの薄いシート状に形成され、例えば、グラファイトシート、熱伝導性両面テープ、熱伝導性シート（シリコンシート）、銅板等にて構成できる。
この熱伝導性部材４４５は、図８および図９に示すように、光変調装置４４０の保持枠４４７の光束射出側端面とクロスダイクロイックプリズム４４４の光束入射側端面との間に介装され、光変調装置４４０をクロスダイクロイックプリズム４４４に熱伝達可能に接着固定する。また、熱伝導性部材４４５は、保持枠４４７の凹部４４７Ｂと入射側偏光板４４２の光束射出側端面との間に介装されるとともに、凹部４４７Ｂに収納された入射側偏光板４４２の光束入射側端面と保持枠４４７の光束入射側端面とを接続し、入射側偏光板４４２を保持枠４４７に熱伝達可能に接着固定する。
【００３７】
冷却装置４４６は、図８および図９に示すように、クロスダイクロイックプリズム４４４の上面に直接接続し、光学装置４４に生じる熱を吸収して放熱する。この冷却装置４４６は、ペルチェモジュール４４６Ａ（図９）と、放熱部材４４６Ｂとを備える。
ペルチェモジュール４４６Ａは、具体的な図示は省略するが、ｐ型半導体とｎ型半導体とを金属片で接合して構成した接合対を複数有しており、これら複数の接合対は電気的に直列に接続され、制御基板６０に実装された後述する演算処理装置による制御の下、ｎ型半導体からｐ型半導体へ、またはｐ型半導体からｎ型半導体へと直流電流が流れる。
ここで、ｎ型半導体からｐ型半導体へ直流電流を流すと、金属片が冷却されて周囲から熱を奪うことができるようになる。逆にｐ型半導体からｎ型半導体へ直流電流を流すと、金属片が加熱され、周囲に熱を放出することができるようになる。
【００３８】
このような構成を有するペルチェモジュール４４６Ａにおいて、直流電流を流すと、ペルチェモジュール４４６Ａの一方の面が熱を吸収する吸熱部分となり、他方の面が熱を発生する発熱部分となる。なお、電流の向きを変えることによって吸熱部分と発熱部分との切換が可能となる。
そして、ペルチェモジュール４４６Ａにおける一方の端部４４６Ａ１は、図９に示すように、クロスダイクロイックプリズム４４４の上面に直接接続し、他方の端部４４６Ａ２は、放熱部材４４６Ｂに接続する。
【００３９】
放熱部材４４６Ｂは、アルミニウム合金等の熱伝導率の高い材料で形成され、矩形状の板体４４６Ｂ１と、板体４４６Ｂ１の上面から上方に向けて突出する放熱部としての複数のピン状部材４４６Ｂ２とが一体的に構成されたものである。このように複数のピン状部材４４６Ｂ２を設けることで、放熱部材４４６Ｂの表面積を大きくし、熱を放出しやすい構造となる。なお、放熱部材４４６Ｂは、アルミニウム合金に限らず、熱伝導性を有する部材であればよく、例えば、インバーおよび４２Ｎｉ−Ｆｅ等の鉄−ニッケル合金、マグネシウム合金、炭素鋼、黄銅、ステンレス等の金属、または、カーボンファイバー、カーボンナノチューブ等のカーボンフィラーを混入させた樹脂（ポリカーボネート、ポリフェニレンサルファイド、液晶樹脂等）等によって構成してもよい。
【００４０】
なお、図示を略したが、上述した光学装置４４、およびライトガイド４７における光学装置４４の設置位置近傍には、光学装置４４を構成する光学素子への結露を防止するために、サーミスタからなる温度検出センサがそれぞれ設けられている。このうち、光学素子温度検出手段としての光変調装置温度検出センサは、光学装置４４の光変調装置４４０に取り付けられ、光変調装置４４０（液晶パネル４４１Ｒ，４４１Ｇ，４４１Ｂ）自体の温度を検出するようになっている。また、環境温度検出手段としての環境温度検出センサは、ライトガイド４７における光学装置４４の光変調装置４４０の設置位置近傍に取り付けられ、光変調装置４４０近傍における環境温度を検出するようになっている。本実施形態では、基本的にこの２箇所に温度検出センサを設けているが、勿論、温度検出センサを設ける位置はこれに限らず、プロジェクションテレビ１０の内部で結露すると問題のある光学素子（入射側偏光板４４２、射出側偏光板４４３等）や、この光学素子（入射側偏光板４４２、射出側偏光板４４３等）の近傍等適宜の位置に適宜の数だけ設けることが可能である。
【００４１】
[1-1-6．制御基板の構成]
制御基板６０は、図３に示すように、光学ユニット４０の上側を覆うように配置され、演算処理装置、液晶パネル４４１Ｒ，４４１Ｇ，４４１Ｂ駆動用ＩＣが実装されたメイン基板６１と、このメイン基板６１と接続され、下部キャビネット３１のリアパネル３５に沿って起立するインターフェース基板６２とを備えている。
インターフェース基板６２の背面側には、上述した機器接続用端子が実装されていて、機器接続用端子から入力する画像情報は、このインターフェース基板６２を介してメイン基板６１に出力される。
メイン基板６１上の演算処理装置は、入力した画像情報を演算処理した後、液晶パネル駆動用ＩＣに制御指令を出力する。駆動用ＩＣは、この制御指令に基づいて駆動信号を生成出力して液晶パネル４４１Ｒ，４４１Ｇ，４４１Ｂを駆動させ、これにより、画像情報に応じて光変調を行って光学像が形成される。
このようなメイン基板６１は、パンチングメタルを折り曲げ加工した板金によって覆われ、この板金は、メイン基板６１上の回路素子等によるＥＭＩ（電磁障害）を防止するために設けられている。
なお、メイン基板６１上の演算処理装置の詳細については、後述する。
【００４２】
[1-2．冷却構造]
次に、プロジェクションテレビ１０の内部の冷却構造を図面に基づいて説明する。
図１０は、第１の冷却流路５１を示す図である。具体的に、図１０（Ａ）は、プロジェクションテレビ１０の側方から第１の冷却流路５１を見た図であり、図１０（Ｂ）は、プロジェクションテレビ１０の正面側から第１の冷却流路５１を見た図である。
図１１は、光学装置４４の冷却構造を示す図である。なお、図１１では、Ｇ色光側の冷却構造が示されているが、Ｒ，Ｂ色光側の冷却構造も同様のものとする。
図１２は、第２の冷却流路５３を示す図である。具体的に、図１２（Ａ）は、プロジェクションテレビ１０の側方から第２の冷却流路５３を見た図であり、図１２（Ｂ）は、プロジェクションテレビ１０の背面側から第２の冷却流路５３を見た図である。
プロジェクションテレビ１０の内部には、図１０および図１２に示すように、プロジェクションテレビ１０を構成する光学装置４４を主に冷却する第１の冷却流路５１と、光源装置４１１を主に冷却する第２の冷却流路５３とが形成されている。
【００４３】
第１の冷却流路５１では、図１１に示すように、光学装置４４の上方に位置し、ダクト２５の吸気側に設けられた冷却ファン５２が用いられる。
この冷却ファン５２は、空気の吸入方向と吸入した空気の吐出方向とが同一である軸流ファンで構成され、制御基板６０上の後述する演算処理装置による制御の下、光学装置４４の上方の空気を吸い込んで、ダクト２５に向けて吐出する。そして、この冷却ファン５２が駆動することにより、図１０に示すように、光学装置４４の上方の空気が吸い込まれ、吸い込まれた空気が下部キャビネット３１の切り欠き３７１Ａ１およびミラーケース１２の切り欠き２４Ａを介してダクト２５に吐出される。ダクト２５に吐出された空気は、ミラーケース１２の切り欠き２４Ｂから流出し、ミラーケース１２の側壁２３、背面壁２１、および側壁２２に沿って流通し、再度、冷却ファン５２に吸い込まれる。このように冷却ファン５２により、ミラーケース１２およびスクリーン１４等により形成される内部空間を循環する第１の冷却流路５１が形成される。
【００４４】
ところで、光学装置４４において、液晶パネル４４１Ｒ，４４１Ｇ，４４１Ｂは、光源装置４１１から照射される光束の一部を吸収するため、熱が生じる。また、入射側偏光板４４２および射出側偏光板４４３も、所定の偏光軸を有する光束を透過し、他の偏光軸を有する光束を吸収するため、熱が生じる。
ここで、射出側偏光板４４３に生じた熱は、図１１に示すように、熱伝導性を有するクロスダイクロイックプリズム４４４の直角プリズム４４４Ｐに伝達される。
また、液晶パネル４４１Ｒ，４４１Ｇ，４４１Ｂに生じた熱は、図１１に示すように、熱伝導性を有する保持枠４４７に伝達され、熱伝導性部材４４５を介してクロスダイクロイックプリズム４４４の直角プリズム４４４Ｐに伝達される。
【００４５】
さらに、入射側偏光板４４２に生じた熱は、図１１に示すように、光束入射側端面および光束射出側端面に接続する熱伝導性部材４４５を介して保持枠４４７に伝達される。また、保持枠４４７に伝達された熱は、熱伝導性部材４４５を介してクロスダイクロイックプリズム４４４の直角プリズム４４４Ｐに伝達される。
ここで、ペルチェモジュール４４６Ａは、制御基板６０上の後述する演算処理装置による制御の下、所定の方向に直流電流が流れ、一方の端部４４６Ａ１が吸熱部分となり、他方の端部４４６Ａ２が発熱部分となる。そして、ペルチェモジュール４４６Ａは、クロスダイクロイックプリズム４４４に伝達された熱を一方の端部４４６Ａ１により吸収するとともに、他方の端部４４６Ａ２で放熱部材４４６Ｂに放出する。放熱部材４４６Ｂに伝達された熱は、ピン状部材４４６Ｂ２を介して、第１の冷却流路５１を流れる冷却空気により冷却される。
以上説明したように、冷却装置４４６および第１の冷却流路５１により、入射側偏光板４４２、液晶パネル４４１Ｒ，４４１Ｇ，４４１Ｂ、および射出側偏光板４４３が冷却される。
【００４６】
第２の冷却流路５３では、図１２に示すように、光学ユニット４０の光源装置４１１上に取り付けられる排気ファン５４が用いられる。
この排気ファン５４は、冷却ファン５２と同様に軸流ファンで構成され、制御基板６０上の後述する演算処理装置により駆動制御される。そして、制御基板６０上の後述する演算処理装置による制御の下、排気ファン５４が駆動することで、図１２に示すように、下部キャビネット３１の側部パネル３３に形成された吸気口３３１からプロジェクションテレビ１０外部の空気が内部へと引き寄せられ、下部キャビネット３１の設置部３７に形成された孔３７２（図５）を介して光源装置４１１へと導入される。光源装置４１１に導入された空気は、排気ファン５４により吸い込まれる過程で光源装置４１１の光源ランプ４１６およびリフレクタ４１７を冷却する。排気ファン５４に吸い込まれた空気は、ダクト２６に吐出され、ダクト２６およびダクト５５を介して下部キャビネット３１の側部パネル３４に形成された排気口３４１からプロジェクションテレビ１０外部へと排出される。
【００４７】
以上、説明した第１の冷却流路５１および第２の冷却流路５３は、互いに交差しないように設定されている。具体的に、光学ユニット４０において、光源装置４１１と光学装置４４との間に介装されるインテグレータ照明光学系４１、色分離光学装置４２、およびリレー光学系４３がライトガイド４７内に収納されているため、ライトガイド４７内で光学装置４４から光源装置４１１、または光源装置４１１から光学装置４４へと空気が流通することがない。また、ライトガイド４７外においても、下部キャビネット３１の設置部３７により、光源装置４１１側と光学装置４４側とが仕切られた構成となっており、光学装置４４側から光源装置４１１側、または光源装置４１１側から光学装置４４側へと空気が流通することがない。このようにプロジェクションテレビ１０内の冷却流路を互いに交差しない第１の冷却流路５１および第２の冷却流路５３に分断することで、光学装置４４を冷却するための第１の冷却流路５１は外部から空気を取り込まずに、ミラーケース１２、スクリーン１４等によって形成される内部空間の空気を循環させて光学装置４４を冷却させることができ、フィルタ等の外部の空気を取り込む際に配置される部材が不要となる。また、光源装置４１１を冷却するための第２の冷却流路５３は、外部の空気を取り込むことになるが、光源を冷却する場合には外部から取り込んだ空気からごみ等を除去する必要がないので、構成の簡素化が図れる。勿論、第２の冷却流路５３の吸気口３３１にフィルタを配置してもよいが、その場合においても、光学装置４４が流路に含まれないので、フィルタの塵埃除去能力が高くなくて済む。
【００４８】
[1-3.演算処理装置の構造]
図１３は、メイン基板６１上に実装された演算処理装置６００によるプロジェクションテレビ１０の制御構造を示すブロック図である。
演算処理装置６００は、図１０に示すように、操作信号受付部６１０、センサ信号受付部６２０、音声制御部６３０、表示制御部６４０、冷却機構駆動制御部６５０、光源駆動制御部６６０、および演算処理手段としての演算処理部６７０を備え、この演算処理装置６００には、フラッシュメモリ等の不揮発性のメモリ６８０が設けられている。
操作信号受付部６１０は、フロントパネル３２に設けられた操作パネル３２Ａ（図１０）上の操作スイッチやリモートコントローラ３２Ｂ（図１０）を操作することにより送られる操作信号を受け付ける部分である。なお、リモートコントローラ３２Ｂの操作信号は、一旦赤外線信号に変換され、信号受光部３２Ｃ（図１０）で受信され再び電気信号に変換され、さらにデジタル信号に変換されて操作信号受付部６１０で受け付けられる。この操作信号受付部６１０で受け付けられた操作信号は、演算処理部６７０に出力される。
【００４９】
センサ信号受付部６２０は、光変調装置温度検出センサ７１および環境温度検出センサ７２で検出された温度センサ信号を受け付ける部分であり、これらのセンサ７１，７２で検出された温度センサ信号は、デジタル信号に変換されてセンサ信号受付部６２０で受け付けられる。このセンサ信号受付部６２０で受け付けられた温度センサ信号は、演算処理部６７０に出力される。
【００５０】
音声制御部６３０は、フロントパネル３２の開口部３８の内側に設けられるスピーカ３８Ａ（図１０）から出力される音声の音量等を制御する部分であり、操作パネル３２Ａやリモートコントローラ３２Ｂに設けられる音量調整ボタンを操作すると、その信号が操作信号受付部６１０で受け付けられ、この信号に基づいて、音声制御部６３０は、スピーカ３８Ａから出力される音声の音量を調整制御する。
表示制御部６４０は、光変調装置４４０を構成する液晶パネル４４１Ｒ，４４１Ｇ，４４１Ｂで形成される光学像を制御する部分であり、操作パネル３２Ａやリモートコントローラ３２Ｂの画質調整ボタンを操作することによる画質調整信号や、インターフェース基板６２を介して入力される画像信号に基づいて、液晶パネル４４１Ｒ，４４１Ｇ，４４１Ｂ上で表示させる画像表示制御を行う。
【００５１】
冷却機構駆動制御部６５０は、冷却ファン５２、排気ファン５４、およびペルチェモジュール４４６Ａを含む冷却機構の駆動制御を行う部分である。この冷却機構駆動制御部６５０は、ファン駆動制御部６５０Ａと、ペルチェ駆動制御手段としてのペルチェ駆動制御部６５０Ｂとを備える。
ファン駆動制御部６５０Ａは、演算処理部６７０から出力される制御指令にしたがって、冷却ファン５２および排気ファン５４の駆動制御を行う。具体的には、冷却ファン５２や排気ファン５４に所定の電圧を印加することで冷却ファン５２や排気ファン５４を駆動する。なお、このファン駆動制御部６５０Ａは、操作パネル３２Ａやリモートコントローラ３２Ｂの操作により操作信号受付部６１０で受け付けられた操作信号に基づいて、冷却ファン５２や、排気ファン５４に対する印加電圧を変更自在に構成され、冷却ファン５２、排気ファン５４の回転数を適宜変更して冷却状態を変更自在に構成されている。
【００５２】
ペルチェ駆動制御部６５０Ｂは、演算処理部６７０から出力される制御指令にしたがって、ペルチェモジュール４４６Ａを駆動制御する。具体的に、光学装置４４を冷却する場合には、ペルチェモジュール４４６Ａに所定方向の直流電流を流し（ペルチェモジュール４４６Ａにおいて、ｎ型半導体からｐ型半導体へと流す）、一方の端部４４６Ａ１（図９）を吸熱部分とし、他方の端部４４６Ａ２（図９）を発熱部分とする。一方、光学装置４４への結露を防止するために、光学装置４４を加熱する場合には、ペルチェモジュール４４６Ａに前記所定方向と逆方向の直流電流を流し（ペルチェモジュール４４６Ａにおいて、ｐ型半導体からｎ型半導体へと流す）、一方の端部４４６Ａ１（図９）を発熱部分とし、他方の端部４４６Ａ２（図９）を吸熱部分とする。
光源駆動制御部６６０は、演算処理部６７０から出力される制御指令にしたがって、光源ランプ４１６を駆動させるランプドライバ４１６Ａを動作させる。
【００５３】
演算処理部６７０は、操作信号受付部６１０で受け付けられた画像、および音声等の設定、センサ信号受付部６２０で受け付けられた温度センサ信号に基づく温度に基づいて、音声制御部６３０、表示制御部６４０、および冷却機構駆動制御部６５０にどのような制御を行わせるべきかを判定し、制御指令を生成する。また、演算処理部６７０は、必要に応じてメモリ６８０内に記憶された設定情報を探索し、制御指令を生成する。
メモリ６８０は、プロジェクションテレビ１０を駆動するための所定のプログラムが格納されるとともに、プロジェクションテレビ１０の画像設定、音声設定、画像入力系の選択設定、および冷却制御設定等に関する情報が格納されている。また、このメモリ６８０は、演算処理装置６００からの所定の情報を適宜記憶する。
【００５４】
[1-4．演算処理装置による結露防止制御]
次に、演算処理装置６００による液晶パネル４４１Ｒ，４４１Ｇ，４４１Ｂ等の光学素子への結露を防止する制御方法について図面を参照して説明する。
図１４は、光学素子への結露を防止する制御方法を説明するためのフローチャートである。
先ず、利用者により操作パネル３２Ａまたはリモートコントローラ３２Ｂ上のプロジェクションテレビ１０を起動するための起動ボタンが押下されると（処理Ｓ１）、該起動ボタンの押下に伴う操作信号が操作信号受付部６１０に入力される。
演算処理部６７０は、操作信号受付部６１０に入力された操作信号に基づいて、メモリ６８０に格納された所定のプログラムを読み込む（処理Ｓ２）。
演算処理部６７０は、読み込んだプログラムにしたがって、所定の制御指令を生成し、音声制御部６３０、表示制御部６４０、冷却機構駆動制御部６５０、および光源駆動制御部６６０に生成した制御指令を出力する。
そして、光源駆動制御部６６０、表示制御部６４０、および音声制御部６３０により、光源ランプ４１６、液晶パネル４４１Ｒ，４４１Ｇ，４４１Ｂ、およびスピーカ３８Ａが駆動制御され、スクリーン１４上に画像が表示されるとともに、画像に応じた音声が出力される（処理Ｓ３）。
【００５５】
また、冷却機構駆動制御部６５０を構成するファン駆動制御部６５０Ａは、演算処理部６７０から出力された制御指令にしたがって、冷却ファン５２および排気ファン５４の駆動制御を実施する（処理Ｓ４）。これにより、冷却ファン５２および排気ファン５４が駆動し、上述した第１の冷却流路５１および第２の冷却流路５３が形成される。
さらに、冷却機構駆動制御部６５０を構成するペルチェ駆動制御部６５０Ｂは、演算処理部６７０から出力された制御指令にしたがって、ペルチェモジュール４４６Ａにおいて、ｎ型半導体からｐ型半導体へと直流電流を流し、一方の端部４４６Ａ１を吸熱部分とし、他方の端部４４６Ａ２を発熱部分とする（処理Ｓ５）。これにより、液晶パネル４４１Ｒ，４４１Ｇ，４４１Ｂ、入射側偏光板４４２、および射出側偏光板４４３からクロスダイクロイックプリズム４４４に伝達された熱を放熱し、光学装置４４が冷却される。
【００５６】
ここで、利用者により操作パネル３２Ａまたはリモートコントローラ３２Ｂ上のプロジェクションテレビ１０の駆動を停止するための駆動停止ボタンが押下されると（処理Ｓ６）、該駆動停止ボタンの押下に伴う操作信号が操作信号受付部６１０に入力される。なお、駆動停止ボタンが押下されない場合には、上述した処理Ｓ３〜Ｓ５が継続して実施される。
演算処理部６７０は、操作信号受付部６１０に入力された操作信号に基づいて、所定の制御指令を生成し、音声制御部６３０、表示制御部６４０、冷却機構駆動制御部６５０、および光源駆動制御部６６０に生成した制御指令を出力する。
そして、光源駆動制御部６６０、表示制御部６４０、および音声制御部６３０による光源ランプ４１６、液晶パネル４４１Ｒ，４４１Ｇ，４４１Ｂ、およびスピーカ３８Ａの駆動制御が停止される（処理Ｓ７）。
【００５７】
また、ファン駆動制御部６５０Ａによる冷却ファン５２および排気ファン５４の駆動制御が停止される（処理Ｓ８）。
さらに、ペルチェ駆動制御部６５０Ｂは、演算処理部６７０から出力された制御指令にしたがって、ペルチェモジュール４４６Ａに流す直流電流の方向を切り換え、一方の端部４４６Ａ１を発熱部分とし、他方の端部４４６Ａ２を吸熱部分とする（処理Ｓ９）。これにより、一方の端部４４６Ａ１からの熱は、クロスダイクロイックプリズム４４４を介して液晶パネル４４１Ｒ，４４１Ｇ，４４１Ｂ、入射側偏光板４４２、および射出側偏光板４４３に伝達され、光学装置４４が加熱される。
ここで、演算処理部６７０は、光変調装置温度検出センサ７１および環境温度検出センサ７２から出力され、センサ信号受付部６２０で受け付けられた温度センサ信号を入力し、光変調装置４４０（液晶パネル４４１Ｒ，４４１Ｇ，４４１Ｂ）の温度、および光変調装置４４０近傍の環境温度を検出する（処理Ｓ１０）。
【００５８】
そして、演算処理部６７０は、処理Ｓ１０において検出した光変調装置４４０（液晶パネル４４１Ｒ，４４１Ｇ，４４１Ｂ）の温度および環境温度を比較し、光変調装置４４０（液晶パネル４４１Ｒ，４４１Ｇ，４４１Ｂ）の温度が環境温度よりも高いか否かを判定する（処理Ｓ１１）。
演算処理部６７０は、処理Ｓ１１において、「Ｎｏ」と判定した場合、すなわち、光変調装置４４０（液晶パネル４４１Ｒ，４４１Ｇ，４４１Ｂ）の温度が環境温度よりも低いと判定した場合には、処理Ｓ１０を継続して実施する。すなわち、光変調装置４４０（液晶パネル４４１Ｒ，４４１Ｇ，４４１Ｂ）の温度が環境温度よりも高くなるまで、光学装置４４の加熱を実施する。
一方、処理Ｓ１１において、「Ｙｅｓ」と判定した場合、すなわち、光変調装置４４０（液晶パネル４４１Ｒ，４４１Ｇ，４４１Ｂ）の温度が環境温度よりも高いと判定した場合には、所定の制御指令をペルチェ駆動制御部６５０Ｂに出力する。そして、ペルチェ駆動制御部６５０Ｂは、入力した制御指令にしたがって、ペルチェモジュール４４６Ａの駆動制御を停止する（処理Ｓ１２）。
【００５９】
[1-5.第１実施形態の効果]
上述した第１実施形態によれば、以下の効果がある。
（１）プロジェクションテレビ１０は、液晶パネル４４１Ｒ，４４１Ｇ，４４１Ｂと保持枠４４７、熱伝導性部材４４５、およびクロスダイクロイックプリズム４４４（直角プリズム４４４Ｐ）を介して熱伝達可能に接続されるペルチェモジュール４４６Ａと、このペルチェモジュール４４６Ａを駆動制御するペルチェ駆動制御部６５０Ｂとを備える。そして、ペルチェ駆動制御部６５０Ｂは、プロジェクションテレビ１０の駆動停止後、すなわち、液晶パネル４４１Ｒ，４４１Ｇ，４４１Ｂの冷却状態が停止された後、保持枠４４７、熱伝導性部材４４５、およびクロスダイクロイックプリズム４４４（直角プリズム４４４Ｐ）を介して液晶パネル４４１Ｒ，４４１Ｇ，４４１Ｂを加熱するように制御するので、液晶パネル４４１Ｒ，４４１Ｇ，４４１Ｂの温度を該液晶パネル４４１Ｒ，４４１Ｇ，４４１Ｂ近傍の環境温度よりも高くすることができる。したがって、液晶パネル４４１Ｒ，４４１Ｇ，４４１Ｂ近傍の飽和水蒸気圧を他の環境における飽和水蒸気圧よりも高くでき、液晶パネル４４１Ｒ，４４１Ｇ，４４１Ｂに結露が生じることを回避できる。
（２）入射側偏光板４４２および射出側偏光板４４３は、液晶パネル４４１Ｒ，４４１Ｇ，４４１Ｂと略同様に、ペルチェモジュール４４６Ａに熱伝達可能に接続されているので、これら入射側偏光板４４２および射出側偏光板４４３に結露が生じることも回避できる。
【００６０】
（３）プロジェクションテレビ１０は、光変調装置温度検出センサ７１、環境温度検出センサ７２、および演算処理部６７０を備える。そして、演算処理部６７０は、光変調装置４４０（液晶パネル４４１Ｒ，４４１Ｇ，４４１Ｂ）の温度が環境温度よりも高くなるようにペルチェ駆動制御部６５０Ｂにペルチェモジュール４４６Ａを駆動制御させる。このことにより、光変調装置４４０（液晶パネル４４１Ｒ，４４１Ｇ，４４１Ｂ）の温度、および光変調装置４４０（液晶パネル４４１Ｒ，４４１Ｇ，４４１Ｂ）近傍の環境温度を実際に測定することで、光変調装置４４０（液晶パネル４４１Ｒ，４４１Ｇ，４４１Ｂ）の温度が環境温度よりも高くなるように適切な制御を実施できる。したがって、液晶パネル４４１Ｒ，４４１Ｇ，４４１Ｂ、入射側偏光板４４２、および射出側偏光板４４３等の光学素子に結露が生じることを確実に回避できる。
【００６１】
（４）演算処理部６７０は、ペルチェ駆動制御部６５０Ｂにペルチェモジュール４４６Ａを駆動制御させて光学装置４４を加熱させる。そして、光変調装置４４０（液晶パネル４４１Ｒ，４４１Ｇ，４４１Ｂ）の温度が環境温度よりも高くなったら、光学装置４４の加熱を停止させる。光学装置４４の加熱状態の停止後でも、光学装置４４の加熱が所定時間の間、維持されるので、光変調装置４４０（液晶パネル４４１Ｒ，４４１Ｇ，４４１Ｂ）の温度が環境温度よりも高くなったら光学装置４４の加熱を停止することで、光学装置４４に余計に熱を加えることがない。
【００６２】
（５）ペルチェ駆動制御部６５０Ｂは、ペルチェモジュール４４６Ａに流す直流電流の方向を切り換え自在に構成される。そして、ペルチェ駆動制御部６５０Ｂは、プロジェクションテレビ１０の駆動時には、ペルチェモジュール４４６Ａを駆動制御して光学装置４４を冷却させるとともに、プロジェクションテレビ１０の駆動停止後には、ペルチェモジュール４４６Ａに流す直流電流の方向を切り換え、ペルチェモジュール４４６Ａを駆動制御して光学装置４４を加熱させる。このことにより、簡単な制御構造にてペルチェモジュール４４６Ａに液晶パネル４４１Ｒ，４４１Ｇ，４４１Ｂ、入射側偏光板４４２、および射出側偏光板４４３等の光学素子の冷却および加熱の双方を実施させることができる。したがって、液晶パネル４４１Ｒ，４４１Ｇ，４４１Ｂ、入射側偏光板４４２、および射出側偏光板４４３等の光学素子を冷却する冷却機構を別途設ける必要がなく、プロジェクションテレビ１０の製造コストの低減、およびプロジェクションテレビ１０の構成の簡素化を図れる。
【００６３】
[２．第２実施形態]
次に、本発明の第２実施形態を図面に基づいて説明する。
以下の説明では、前記第１実施形態と同様の構造および同一部材には同一符号を付して、その詳細な説明は省略または簡略化する。
前記第１実施形態では、演算処理装置６００は、ペルチェモジュール４４６Ａに流す直流電流の方向を切り換え、光学装置４４を加熱することでのみ、液晶パネル４４１Ｒ，４４１Ｇ，４４１Ｂ等の光学素子への結露を防止する制御を実施している。
これに対して第２実施形態では、演算処理装置６００Ｂは、ペルチェモジュール４４６Ａに流す直流電流の方向を切り換え、光学装置４４を加熱するとともに、光源ランプ４１６の発光光量を調節して、液晶パネル４４１Ｒ，４４１Ｇ，４４１Ｂ等の光学素子への結露を防止する制御を実施する。
すなわち、第１実施形態に対して、演算処理装置における制御構造が異なるのみであり、その他の構成は同一のものとする。
【００６４】
[2-1.演算処理装置の構造]
図１５は、メイン基板６１上に実装された演算処理装置６００Ｂによるプロジェクションテレビ１０の制御構造を示すブロック図である。
演算処理装置６００Ｂは、第１実施形態で説明した操作信号受付部６１０、センサ信号受付部６２０、音声制御部６３０、表示制御部６４０、および冷却機構駆動制御部６５０の他、光源駆動制御部６６０Ｂを備えている。
光源駆動制御部６６０Ｂは、第１実施形態の光源駆動制御部６６０と略同様に、演算処理部６７０から出力される制御指令にしたがって、光源ランプ４１６を駆動させるランプドライバ４１６Ｂを動作させる。
ここで、ランプドライバ４１６Ｂは、本発明に係る光量調節手段として構成され、光源ランプ４１６の発光光量を調整する発光光量制御回路を有している。
【００６５】
[2-2.演算処理装置による結露防止制御]
次に、演算処理装置６００Ｂによる液晶パネル４４１Ｒ，４４１Ｇ，４４１Ｂ等の光学素子への結露を防止する制御方法について図面を参照して説明する。
図１６は、光学素子への結露を防止する制御方法を説明するためのフローチャートである。なお、第２実施形態における光学素子への結露を防止する制御方法は、第１実施形態における制御方法と略同様に実施できるため、以下では簡略化して説明する。
先ず、利用者による操作パネル３２Ａまたはリモートコントローラ３２Ｂの操作により、第１実施形態における処理Ｓ１〜Ｓ５と同様に、プロジェクションテレビ１０が起動され（処理Ｓ２１）、これに伴って、演算処理部６７０によるメモリ６８０内のプログラムの読み込み（処理Ｓ２２）、画像の表示（処理Ｓ２３）、冷却ファン５２および排気ファン５４の駆動（処理Ｓ２４）、およびペルチェモジュール４４６Ａの駆動（処理Ｓ２５）が実施される。
【００６６】
また、演算処理装置６００Ｂは、利用者による操作パネル３２Ａまたはリモートコントローラ３２Ｂの操作により、第１実施形態における処理Ｓ６と略同様に、プロジェクションテレビ１０の駆動を停止する旨の操作信号を入力すると（処理Ｓ２６）、所定の制御指令を生成して、生成した制御指令を音声制御部６３０、表示制御部６４０、冷却機構駆動制御部６５０、および光源駆動制御部６６０に出力する。
そして、表示制御部６４０および音声制御部６３０による液晶パネル４４１Ｒ，４４１Ｇ，４４１Ｂ、およびスピーカ３８Ａの駆動制御が停止される。
また、第１実施形態における処理Ｓ８と同様に、冷却機構駆動制御部６５０を構成するファン駆動制御部６５０Ａによる冷却ファン５２および排気ファン５４の駆動制御が停止される（処理Ｓ２７）。
さらに、光源駆動制御部６６０は、演算処理部６７０から出力された制御指令にしたがって、ランプドライバ４１６Ｂに所定の制御指令を出力する。ここで、ランプドライバ４１６Ｂは、光源駆動制御部６６０からの指令に基づいて光源ランプ４１６の発光光量を１００％から例えば７０％程度まで徐々に低減させる（処理Ｓ２８）。
さらにまた、ペルチェ駆動制御部６５０Ｂは、第１実施形態における処理Ｓ９と同様に、演算処理部６７０から出力された制御指令にしたがって、ペルチェモジュール４４６Ａに流す直流電流の方向を切り換え、光学装置４４を加熱させる（処理Ｓ２９）。
【００６７】
処理Ｓ２９の後、演算処理部６７０は、第１実施形態における処理Ｓ１０およびＳ１１と同様に、光変調装置４４０（液晶パネル４４１Ｒ，４４１Ｇ，４４１Ｂ）の温度、および光変調装置４４０近傍の環境温度を検出するとともに（処理Ｓ３０）、光変調装置４４０（液晶パネル４４１Ｒ，４４１Ｇ，４４１Ｂ）の温度と環境温度とを比較し（処理Ｓ３１）、光変調装置４４０（液晶パネル４４１Ｒ，４４１Ｇ，４４１Ｂ）の温度が環境温度よりも高くなるまで、光学装置４４の加熱を実施する。
処理Ｓ３１において、「Ｙｅｓ」と判定した場合、すなわち、光変調装置４４０（液晶パネル４４１Ｒ，４４１Ｇ，４４１Ｂ）の温度が環境温度よりも高いと判定した場合には、所定の制御指令を光源駆動制御部６６０Ｂおよびペルチェ駆動制御部６５０Ｂに出力する。そして、光源駆動制御部６６０Ｂは、入力した制御指令にしたがって、ランプドライバ４１６Ｂの動作を停止し（処理Ｓ３２）、ペルチェ駆動制御部６５０Ｂも同様に、ペルチェモジュール４４６Ａの駆動制御を停止する（処理Ｓ３３）。
【００６８】
[2-3.第２実施形態の効果]
上述した第２実施形態によれば、上記（１）〜（５）の他、以下の効果がある。
（６）プロジェクションテレビ１０は、光源ランプ４１６の発光光量を調節するランプドライバ４１６Ｂを備えている。そして、ランプドライバ４１６Ｂは、プロジェクションテレビ１０の駆動停止後、光源駆動制御部６６０Ｂからの指令に応じて光源ランプ４１６の発光光量を調節して徐々に低減させる。このことにより、プロジェクションテレビ１０の駆動停止後、直ぐに光源ランプ４１６が消灯される第１実施形態と比較して、プロジェクションテレビ１０の駆動停止後の液晶パネル４４１Ｒ，４４１Ｇ，４４１Ｂ、入射側偏光板４４２、および射出側偏光板４４３等の光学素子の急激な温度低下を回避できる。したがって、プロジェクションテレビ１０の駆動停止後、液晶パネル４４１Ｒ，４４１Ｇ，４４１Ｂ、入射側偏光板４４２、および射出側偏光板４４３等の光学素子の急激な温度低下を回避することで、該光学素子の温度を環境温度よりも常に高く設定でき、該光学素子の結露をより確実に回避できる。
【００６９】
[３．実施形態の変形]
以上、本発明について好適な実施形態を挙げて説明したが、本発明は、これらの実施形態に限定されるものではなく、本発明の要旨を逸脱しない範囲において種々の改良並びに設計の変更が可能である。
前記各実施形態では、スクリーン１４上に投射した画像を裏面側から観察するリアプロジェクタとしてのプロジェクションテレビ１０の構成を説明したが、本発明は、スクリーン上に投射した画像を正面側から観察するフロントプロジェクタとしても構成してもよい。
前記各実施形態では、光学素子として、液晶パネル４４１Ｒ，４４１Ｇ，４４１Ｂ、入射側偏光板４４２、および射出側偏光板４４３を挙げて説明したが、これに限らず、その他の光学素子（位相差板、視野角拡大板、および色補正板等）を採用してもよい。
【００７０】
前記各実施形態では、ペルチェモジュール４４６Ａは、クロスダイクロイックプリズム４４４（直角プリズム４４４Ｐ）を介して液晶パネル４４１Ｒ，４４１Ｇ，４４１Ｂ、入射側偏光板４４２、および射出側偏光板４４３等の光学素子に熱伝達可能に接続されていたが、これに限らず、熱伝達可能に接続されていればどのような構成でもよく、例えば、ペルチェモジュール４４６Ａと光学素子とが直接接続される構成、または、以下に示す構成を採用してもよい。
図１７は、ペルチェモジュール４４６Ａと液晶パネル４４１Ｒ，４４１Ｇ，４４１Ｂ、入射側偏光板４４２、および射出側偏光板４４３等の光学素子との他の接続状態を示す図である。なお、図１７は、Ｒ，Ｂ色光側の構造を示す平面図であるが、Ｇ色光側の構造も同様のものとする。
【００７１】
例えば、図１７に示すようなペルチェモジュール４４６Ａと光学素子との接続状態を有する光学装置４４Ａを採用できる。
光学装置４４Ａは、前記各実施形態で説明した冷却装置４４６、液晶パネル４４１Ｒ，４４１Ｇ，４４１Ｂ、入射側偏光板４４２、射出側偏光板４４３、熱伝導性部材４４５、およびクロスダイクロイックプリズム４４４の他、液晶パネル４４１Ｒ，４４１Ｇ，４４１Ｂを保持する保持枠４５０と、クロスダイクロイックプリズム４４４の上面に固定される台座４４８と、入射側偏光板４４２、射出側偏光板４４３、および保持枠４５０を支持する支持体４４９とを備える。
保持枠４５０は、表面にブラックアルマイト処理が施されたアルミニウム合金から構成され、略中央部分に光束透過用の開口部４５０Ａが形成された矩形状の枠体であり、内部にて各液晶パネル４４１Ｒ，４４１Ｇ，４４１Ｂを収納保持する。
台座４４８は、平面視矩形形状を有するアルミニウム合金製の板体から構成され、クロスダイクロイックプリズム４４４の上面に固定される。そして、その上面には、冷却装置４４６を構成するペルチェモジュール４４６Ａが熱伝達可能に接続する。また、その下面には、各支持体４４９がクロスダイクロイックプリズム４４４の各光束入射端面に対向するように熱伝達可能に支持固定される。
【００７２】
支持体４４９は、表面にブラックアルマイト処理が施されたアルミニウム合金から構成され、その内部には、光学素子を支持固定するための支持面４４９Ａ，４４９Ｂ，４４９Ｃが段付状に形成され、該支持面４４９Ａ，４４９Ｂ，４４９Ｃにて保持枠４５０、入射側偏光板４４２、および射出側偏光板４４３を熱伝導性部材４４５を介して熱伝達可能に支持固定する。
この光学装置４４Ａでは、ペルチェモジュール４４６Ａは、保持枠４５０、支持体４４９、および台座４４８を介して液晶パネル４４１Ｒ，４４１Ｇ，４４１Ｂ、入射側偏光板４４２、および射出側偏光板４４３等の光学素子と熱伝達可能に接続される。
このような構成では、クロスダイクロイックプリズム４４４を構成する直角プリズム４４４Ｐを、熱伝導性を有する部材にて構成する必要がなく、種々の光学材料を用いることができ、光学装置４４の設計の自由度が向上する。
【００７３】
前記各実施形態では、演算処理部６７０は、光変調装置４４０（液晶パネル４４１Ｒ，４４１Ｇ，４４１Ｂ）の温度と、光変調装置４４０（液晶パネル４４１Ｒ，４４１Ｇ，４４１Ｂ）近傍の環境温度とを比較し、光変調装置４４０（液晶パネル４４１Ｒ，４４１Ｇ，４４１Ｂ）の温度が環境温度よりも高い場合に、ペルチェ駆動制御部６５０Ｂにペルチェモジュール４４６Ａの駆動制御を停止させていたが、これに限らない。例えば、光変調装置４４０（液晶パネル４４１Ｒ，４４１Ｇ，４４１Ｂ）の温度が環境温度よりも所定の閾値以上に高い場合に、ペルチェ駆動制御部６５０Ｂにペルチェモジュール４４６Ａの駆動制御を停止させる構成としてもよい。
前記各実施形態では、演算処理部６７０は、プロジェクションテレビ１０の駆動停止後、光変調装置４４０（液晶パネル４４１Ｒ，４４１Ｇ，４４１Ｂ）の温度と、光変調装置４４０（液晶パネル４４１Ｒ，４４１Ｇ，４４１Ｂ）近傍の環境温度とを比較し、光変調装置４４０（液晶パネル４４１Ｒ，４４１Ｇ，４４１Ｂ）の温度が環境温度よりも高くなるようにペルチェ駆動制御部６５０Ｂにペルチェモジュール４４６Ａを駆動制御させていたが、これに限らない。例えば、図１４に示す処理Ｓ５、および図１６に示す処理Ｓ２５において、光学装置４４を冷却する際に、光変調装置４４０（液晶パネル４４１Ｒ，４４１Ｇ，４４１Ｂ）の温度と、光変調装置４４０（液晶パネル４４１Ｒ，４４１Ｇ，４４１Ｂ）近傍の環境温度とを比較し、光変調装置４４０（液晶パネル４４１Ｒ，４４１Ｇ，４４１Ｂ）の温度が環境温度よりも高くなるようにペルチェ駆動制御部６５０Ｂにペルチェモジュール４４６Ａを駆動制御させる構成を採用してもよい。
このような構成では、光学装置４４の冷却中でも、液晶パネル４４１Ｒ，４４１Ｇ，４４１Ｂ、入射側偏光板４４２、および射出側偏光板４４３等の光学素子に結露が生じることを回避できる。
【００７４】
前記第２実施形態では、光量調節手段としてランプドライバ４１６Ｂを採用し、ランプドライバ４１６Ｂが光源ランプ４１６の発光光量を低減させる構成を説明したが、これに限らず、光学絞りを駆動制御して光源ランプ４１６から光学素子に射出される光束の光量を低減する、例えば、以下の構成を採用してもよい。
図１８および図１９は、光学絞りを駆動制御して光源ランプ４１６から光学素子に射出される光束の光量を低減させる構成を示す図である。
例えば、図１８に示すように、光学絞りとして、一対の矩形の遮光板７００Ａ，７００Ｂを有する開閉遮光部材７００を採用し、この開閉遮光部材７００を第１レンズアレイ４１２および第２レンズアレイ４１３の間に配設する。そして、これら遮光板７００Ａ，７００Ｂは、例えばアクチュエータ等の駆動部により回転自在に構成されている。また、図示を略すが、演算処理装置６００Ｂにアクチュエータ等の駆動部を駆動制御する光量調節手段を設ける。そして、光量調節手段は、プロジェクションテレビ１０の駆動停止後、駆動部を駆動制御し、遮光板７００Ａ，７００Ｂを等しい角度θで回転駆動させることにより、光源ランプ４１６から光学素子に射出される光束の光量を低減させる。
【００７５】
また、例えば、図１９に示すように、光学絞りとして、光源からの照明光を透過させる開口部、および光源からの照明光の一部を遮断する遮光部を有する２つの遮光マスク８００Ａ，８００Ｂを採用し、これらの遮光マスク８００Ａ，８００Ｂを第１レンズアレイ４１２および第２レンズアレイ４１３の間に配設する。そして、これら遮光マスク８００Ａ，８００Ｂは、例えばアクチュエータ等の駆動部により図１９に示す矢印に移動自在に構成されている。また、図示を略すが、演算処理装置６００Ｂにアクチュエータ等の駆動部を駆動制御する光量調整手段を設ける。そして、光量調整手段は、プロジェクションテレビ１０の駆動停止後、駆動部を駆動制御して遮光マスク８００Ａ，８００Ｂを相互に移動させて遮光部により光源ランプ４１６から光学素子に射出される光束の光量を低減させる。
なお、上述した光学絞りの位置は、第１レンズアレイ４１２および第２レンズアレイ４１３の間に限らず、光源ランプ４１６と光学素子との間であればどの位置でも構わない。また、ランプドライバ４１６Ｂによる発光光量の低減と、上述した光学絞りによる光量の低減を組み合わせた構成としてもよい。
【００７６】
前記各実施形態では、冷却装置４４６として、ペルチェモジュール４４６Ａ上に放熱部材４４６Ｂを取り付けた構成を説明したが、これに限らず、内部に冷媒を有して当該冷媒の移動に伴って伝達された熱を移動させる対流熱伝達を利用した、例えば、水冷ジャケット、ヒートパイプ等の放熱装置を組み合わせた構成を採用してもよい。例えば、水冷ジャケットまたはヒートパイプ等によりペルチェモジュール４４６Ａの他方の端部４４６Ａ２から放出される熱をプロジェクションテレビ１０内の空きスペースまで導き、該空きスペースにおいて放熱部材４４６Ｂにより放熱させる構成とすることもできる。このような構成では、プロジェクションテレビ１０の設計の自由度が高まるとともに、放熱装置を含む光学装置４４がプロジェクションテレビ１０の小型化の障害となることを回避でき、プロジェクションテレビ１０の小型化が図りやすくなる。
前記実施形態では、放熱部材４４６Ｂには複数のピン状部材４４６Ｂ２が設けられた構成を説明したが、ピン状に限らない。放熱部材４４６Ｂの表面積を大きくできる形状であればよく、例えば、板体４４６Ｂ１上面に略直交するように複数の板状体が並列配置されている構造を採用してもよい。
前記各実施形態では、３つの光変調装置４４０を用いたプロジェクションテレビ１０の例のみを挙げたが、本発明は、１つの光変調装置のみを用いたプロジェクションテレビ、２つの光変調装置を用いたプロジェクションテレビ、あるいは、４つ以上の光変調装置を用いたプロジェクションテレビにも適用可能である。
【００７７】
本発明を実施するための最良の構成などは、以上の記載で開示されているが、本発明は、これに限定されるものではない。すなわち、本発明は、主に特定の実施形態に関して特に図示され、かつ、説明されているが、本発明の技術的思想および目的の範囲から逸脱することなく、以上述べた実施形態に対し、形状、材質、数量、その他の詳細な構成において、当業者が様々な変形を加えることができるものである。
したがって、上記に開示した形状、材質などを限定した記載は、本発明の理解を容易にするために例示的に記載したものであり、本発明を限定するものではないから、それらの形状、材質などの限定の一部若しくは全部の限定を外した部材の名称での記載は、本発明に含まれるものである。
【産業上の利用可能性】
【００７８】
本発明のプロジェクタは、光学素子への結露を防止できるため、スクリーンに投射された画像をスクリーンの裏面側から観察するリアプロジェクタ、またはスクリーンに投射された画像をスクリーンの正面側から観察するフロントプロジェクタとして有用である。
【図面の簡単な説明】
【００７９】
【図１】第１実施形態に係るプロジェクタとしてのプロジェクションテレビの正面側斜視図。
【図２】前記実施形態におけるプロジェクションテレビの背面側斜視図。
【図３】前記実施形態におけるプロジェクションテレビの内部構造を示す図。
【図４】前記実施形態におけるミラーケースを正面側から見た斜視図。
【図５】前記実施形態における下部キャビネットの正面側斜視図。
【図６】図４に示す上部キャビネットと図５に示す下部キャビネットとを組み合わせた図。
【図７】前記実施形態における光学ユニットを模式的に示す図。
【図８】前記実施形態における光学装置の構造を示す図。
【図９】前記実施形態における光学装置の構造を示す図。
【図１０】前記実施形態における第１の冷却流路を示す図。
【図１１】前記実施形態における光学装置の冷却構造を示す図。
【図１２】前記実施形態における第２の冷却流路を示す図。
【図１３】前記実施形態におけるメイン基板上に実装された演算処理装置によるプロジェクションテレビの制御構造を示すブロック図。
【図１４】前記実施形態における光学素子への結露を防止する制御方法を説明するためのフローチャート。
【図１５】第２実施形態におけるメイン基板上に実装された演算処理装置によるプロジェクションテレビの制御構造を示すブロック図。
【図１６】前記実施形態における光学素子への結露を防止する制御方法を説明するためのフローチャート。
【図１７】前記各実施形態の変形例を示す図。
【図１８】前記第２実施形態の変形例を示す図。
【図１９】前記第２実施形態の変形例を示す図。
【符号の説明】
【００８０】
１０・・・プロジェクションテレビ（プロジェクタ）、４６・・・投射レンズ（投射光学装置）、７１・・・光変調装置温度検出センサ（光学素子温度検出手段）、７２・・・環境温度検出センサ（環境温度検出手段）、４１１・・・光源装置、４１６Ｂ・・・ランプドライバ（光量調節手段）、４４１Ｒ，４４１Ｇ，４４１Ｂ・・・液晶パネル（光学素子）、４４２・・・入射側偏光板（光学素子）、４４３・・・射出側偏光板（光学素子）、４４６Ａ・・・ペルチェモジュール、６５０Ｂ・・・ペルチェ駆動制御部（ペルチェ駆動制御手段）、６７０・・・演算処理部（演算処理手段）。
【図１】
2005115220.tif 000004
【図２】
2005115220.tif 000005
【図３】
2005115220.tif 000006
【図４】
2005115220.tif 000007
【図５】
2005115220.tif 000008
【図６】
2005115220.tif 000009
【図７】
2005115220.tif 000010
【図８】
2005115220.tif 000011
【図９】
2005115220.tif 000012
【図１０】
2005115220.tif 000013
【図１１】
2005115220.tif 000014
【図１２】
2005115220.tif 000015
【図１３】
2005115220.tif 000016
【図１４】
2005115220.tif 000017
【図１５】
2005115220.tif 000018
【図１６】
2005115220.tif 000019
【図１７】
2005115220.tif 000020
【図１８】
2005115220.tif 000021
【図１９】
2005115220.tif 000022